(57)【要約】      （修正有）【課題】複数ユーザが利用する機器において、ユーザのプライバシーを尊重しながら、コンテンツの重複購入を防止する。【解決手段】ユーザがコンテンツを新しく購入しようとしたときに、すでに購入済みの同一コンテンツが存在することを検出すると同時に、先にコンテンツを購入したユーザが、購入した事実を公開するか否かを設定した情報に基づき、新しくコンテンツを購入しようとしているユーザに対して、重複購入である旨のメッセージを表示するか否かを判別する。【選択図】図１
2011029864.tif 000002
【特許請求の範囲】
【請求項１】
複数のユーザによる購入により、外部から配信される複数のコンテンツをダウンロードして記録再生することが可能な記録再生装置であって、
購入される複数のコンテンツごとに、購入したユーザが、他のユーザに対して購入済みであることを提示するか否かを設定可能な入力部と、
前記購入された複数のコンテンツに関する情報と、前記入力部でコンテンツごとに設定された購入済みであることを提示するか否かを示す情報を保持し、保持した情報に基づいて、新たに購入されるコンテンツが購入済みである場合に、当該コンテンツが購入済みであることを提示してよいコンテンツであるかどうかを判断するコンテンツ管理部と、
前記コンテンツ管理部で提示してよいと判断された場合に、新たに購入されるコンテンツが購入済みであることを提示する出力部を備えることを特徴とする記録再生装置。
【請求項２】
前記入力部は、提示しないユーザを設定可能であり、
前記コンテンツ管理部は、前記入力部で設定された提示しないユーザ情報をさらに保持し、保持した情報に基づいて、購入済みであることを提示してよいコンテンツかつユーザであるかどうかを判断することを特徴とする請求項1に記載の記録再生装置。
【請求項３】
前記入力部による設定は、コンテンツの購入時、あるいは、購入後の再生時に行われることを特徴とする請求項1または２に記載の記録再生装置。
【請求項４】
複数のユーザによる購入により、外部から配信される複数のコンテンツをダウンロードして記録再生することが可能な記録再生装置であって、
購入される複数のコンテンツのジャンルごとに、購入するユーザが、他のユーザに対して購入済みであることを提示するか否かを設定可能な入力部と、
前記購入された複数のコンテンツに関する情報と、前記入力部でジャンルごとに設定された購入済みであることを提示するか否かを示す情報を保持し、保持した情報に基づいて、新たに購入されるコンテンツが購入済みである場合に、当該コンテンツが購入済みであることを提示してよいジャンルであるかどうかを判断するコンテンツ管理部と、
前記コンテンツ管理部で提示してよいと判断された場合に、新たに購入されるコンテンツが購入済みであることを提示する出力部を備えることを特徴とする記録再生装置。
【請求項５】
前記入力部は、提示しないユーザを設定可能であり、
前記コンテンツ管理部は、前記入力部で設定された提示しないユーザ情報をさらに保持し、保持した情報に基づいて、購入済みであることを提示してよいジャンルかつユーザであるかどうかを判断することを特徴とする請求項４に記載の記録再生装置。
【請求項６】
前記入力部による設定は、コンテンツの購入前、あるいは、購入後の再生時に行われることを特徴とする請求項４または５に記載の記録再生装置。
【発明の詳細な説明】
【技術分野】
【０００１】
本発明は、放送波やネットワークなどの通信媒体を介して配信されるコンテンツを記録し、該記録したコンテンツを再生する記録再生装置に係り、特に複数ユーザが同じ装置を利用する場合の使い勝手向上を図るものである。
【背景技術】
【０００２】
近年、ブロードバンド回線の家庭への普及により、映像や音楽を中心とした大容量コンテンツ（情報内容）をストレスなく家庭に配信できるネットワーク環境が整いつつある。さらに、コンテンツの圧縮技術や配信技術の進展と相まって、高品質を維持したまま家庭へのコンテンツを配信できるようになっている。
【０００３】
一方、家庭においては、パーソナルコンピュータだけでなくテレビやハードディスクレコーダなどの家電製品においても、ネットワーク接続機能を有する機器が増加しており、ブロードバンド回線を通じて配信されるコンテンツを取得・利用する機器も増えている。このようなコンテンツの圧縮技術や配信技術の進展と、家庭内でのネットワークに接続した再生機器の増加に伴い、これらの再生機器にコンテンツを配信し、利用者からコンテンツの利用料（視聴料）を徴収するコンテンツ配信サービスが実現されている。非特許文献１のサービスが一例である。
【０００４】
ネットワークを経由したコンテンツの配信方法は、大きく分けて２つの方式が存在する。
【０００５】
一つは、再生機器がネットワークからコンテンツデータを取得し逐次再生するストリーミング方式である。ネットワークからの取得から再生までの間に一時的に保持する手段（バッファメモリ等）を除けば再生機器にはデータ蓄積機能が不要であり、また利用者がコンテンツを指定して即座に再生開始できるので、実装と利用の手軽さが特徴となる方式である。
【０００６】
もう一つは、再生機器がネットワークからコンテンツデータを一括して取得しデータ蓄積機能に蓄積し、蓄積完了後に再生するダウンロード方式である。再生機器には、ハードディスクドライブ（HDD）等、コンテンツ全体を保存するための大容量のデータ蓄積機能が必要となるが、ストリーミング方式と比べ、以下のような利点がある。
ネットワークの品質や帯域幅に依存しない高品質なコンテンツを提供できる。
コンテンツデータの欠落によるコンテンツ再生品質低下が発生しない。
(3)早送り／巻戻し／頭出しといったコンテンツ内を前後する再生操作（トリックプレイ）が容易である。
(4)コンテンツを他のメディアにダビング（コピー）することが容易である。
【０００７】
このため、コンテンツの品質を重視するコンテンツ配信サービスにおいては、ダウンロード方式が採用されつつある。
【０００８】
ダウンロード方式においては、一般的に、視聴期限を有するコンテンツを購入して視聴するいわゆるレンタルと呼ばれるサービスの他に、視聴期限が無い（無期限）コンテンツを購入し、いつでもコンテンツを視聴できるセルと呼ばれるサービスが存在する。そして、ユーザは自身の利用形態に合わせてサービスを選択することが可能となっている。ちなみに、非特許文献１のサービスがダウンロードサービスの一例である。
【０００９】
上記のようなサービスを利用することで、家庭内においても、いつでも手軽に多数のコンテンツを購入してダウンロードできる環境が整ってきた。しかしながら、このような環境においては、購入してダウンロードしたコンテンツを後日視聴するつもりで忘れてしまったり、別のユーザがコンテンツを購入しているのを知らなかったりして、同じコンテンツを再度購入してしまう場合があった。
【００１０】
このような問題に対して、特許文献１では、機器（クライアント）で重複購入されることを検知し、ユーザに知らせる方法が開示されている。
【先行技術文献】
【特許文献】
【００１１】
【特許文献１】特開２００４−２３４２７２号公報
【非特許文献】
【００１２】
【非特許文献１】http://actvila.jp/pdf/press_20081210.pdf「世界初、ブルーレイディスクなどへダビング可能なハイデフ映像のダウンロード配信サービスを「TSUTAYA TV on acTVila」で開始」
【発明の概要】
【発明が解決しようとする課題】
【００１３】
特許文献１では、重複購入をユーザに通知する方法が開示されているが、その通知は、機器（クライアント）を操作するユーザが誰であるかは問わない。
【００１４】
しかしながら、家庭内で機器（クライアント）を操作するのは、複数のユーザであることが多く、購入したコンテンツの内容が、有害情報である、あるいは、知られたくない情報である場合など、コンテンツの内容によっては、特定のユーザに対して、重複購入を通知させたくない場合がある。
【００１５】
本発明では、上記のようなニーズを鑑み、重複購入の通知を行うか否かをコンテンツの内容や通知対象となるユーザに応じて切り分けることを可能にし、重複購入の防止と情報通知のフィルタリングのバランスを図ることを目的とする。
【課題を解決するための手段】
【００１６】
上記目的を達成するために、本発明は、複数のユーザによる購入により、外部から配信される複数のコンテンツをダウンロードして記録再生することが可能な記録再生装置において、購入される複数のコンテンツごとに、購入したユーザが、他のユーザに対して購入済みであることを提示するか否かを設定可能な入力部と、前記購入された複数のコンテンツに関する情報と、前記入力部でコンテンツごとに設定された購入済みであることを提示するか否かを示す情報を保持し、保持した情報に基づいて、新たに購入されるコンテンツが購入済みである場合に、当該コンテンツが購入済みであることを提示してよいコンテンツであるかどうかを判断するコンテンツ管理部と、前記コンテンツ管理部で提示してよいと判断された場合に、新たに購入されるコンテンツが購入済みであることを提示する出力部を備えるようにする。
【００１７】
また、前記記録再生装置において、前記入力部は、提示しないユーザを設定可能であり、前記コンテンツ管理部は、前記入力部で設定された提示しないユーザ情報をさらに保持し、保持した情報に基づいて、購入済みであることを提示してよいコンテンツかつユーザであるかどうかを判断するようにしてもよい。
【００１８】
また、前記記録再生装置において、前記入力部による設定は、コンテンツの購入時、あるいは、購入後の再生時に行うことができる。
【００１９】
また、別の本発明は、複数のユーザによる購入により、外部から配信される複数のコンテンツをダウンロードして記録再生することが可能な記録再生装置において、購入される複数のコンテンツのジャンルごとに、購入するユーザが、他のユーザに対して購入済みであること提示するか否かを設定可能な入力部と、前記購入された複数のコンテンツに関する情報と、前記入力部でジャンルごとに設定された購入済みであることを提示するか否かを示す情報を保持し、保持した情報に基づいて、新たに購入されるコンテンツが購入済みである場合に、当該コンテンツが購入済みであることを提示してよいジャンルであるかどうかを判断するコンテンツ管理部と、前記コンテンツ管理部で提示してよいと判断された場合に、新たに購入されるコンテンツが購入済みであることを提示する出力部を備えるようにする。
【００２０】
また、前記記録再生装置において、前記入力部は、提示しないユーザを設定可能であり、前記コンテンツ管理部は、前記入力部で設定された提示しないユーザ情報をさらに保持し、保持した情報に基づいて、購入済みであることを提示してよいジャンルかつユーザであるかどうかを判断するようにしてもよい
また、前記記録再生装置において、前記入力部による設定は、コンテンツの購入前、あるいは、購入後の再生時に行うことができる。
【発明の効果】
【００２１】
本発明によれば、複数のユーザが多数のコンテンツを購入してダウンロードできる環境において、ユーザが新たに購入しようとするコンテンツが、既に購入済みであっても、重複購入の通知を行うか否かをコンテンツの内容や通知対象となるユーザに応じて切り分けることを可能とする。
【００２２】
これにより、コンテンツの内容や通知対象となるユーザによって、重複購入の防止を図るか、情報通知のフィルタリングを図るかを選択することができる。
【図面の簡単な説明】
【００２３】
【図１】発明に係る記録再生装置の機能ブロック図である。
【図２】記録再生装置を利用するユーザを登録する画面の表示例である。
【図３】第1の実施形態に係るコンテンツ購入時の重複購入確認フローチャートである。
【図４】第1の実施形態に係る操作中ユーザを確認する画面の表示例である。
【図５】第1の実施形態に係る重複確認判別用のコンテンツ情報管理テーブルである。
【図６】第1の実施形態に係る重複購入するか否かを確認する画面の表示例である。
【図７】第1の実施形態に係る購入コンテンツの重複確認設定画面の表示例である。
【図８】第2の実施形態に係るコンテンツ購入時の重複購入確認フローチャートである。
【図９】第2の実施形態に係る非表示ジャンル情報を設定するフローチャートである。
【図１０】第2の実施形態に係る重複確認を行わないジャンル設定画面の表示例である。
【図１１】第2の実施形態に係る重複確認判別用のジャンル情報管理テーブルである。
【図１２】第3の実施形態に係るコンテンツ購入時の重複購入確認フローチャートである。
【図１３】第3の実施形態に係る重複確認判別用のコンテンツ情報管理テーブルである。
【図１４】第4の実施形態に係るコンテンツ再生時の重複確認設定フローチャートである。
【図１５】第4の実施形態に係るコンテンツ再生時の重複確認設定画面の表示例である。
【発明を実施するための形態】
【実施例１】
【００２４】
本発明にかかる一実施形態を図面を参照しながら説明する。
＜記録再生装置の構成＞
まず、本発明に係る記録再生装置の構成について説明する。
【００２５】
図１は、記録再生装置１００の機能ブロック図である。記録再生装置１００は、放送波やネットワークなどの通信媒体を介して配信されるコンテンツを受信し再生することができるものである。また、配信されるコンテンツを蓄積装置に記録し、ユーザ操作により記録したコンテンツを再生することができるものである。以下、同図を参照しながら各部の機能について説明する。
【００２６】
通信制御部１０１は、例えばアンテナを介して放送波コンテンツを受信したり、あるいはネットワーク（例えばインタネットのような広域ネットワーク）を介して、コンテンツサーバから配信されるコンテンツを受信する。さらに、通信制御部１０１は、受信したコンテンツに関する各種情報、例えばコンテンツ名、コンテンツの概要、コンテンツのジャンル、コンテンツの視聴期限などを示すライセンス情報などを受信する。ここで、各種情報は放送波により配信されてもよいし、コンテンツストリームの中に情報を挿入する形として配信されてもよい。また、例えばコンテンツ配信事業者が用意する配信サーバからコンテンツとは別に取得しても良い。
【００２７】
購入管理部１０２は、通信制御部１０１を介して受信するコンテンツの購入管理を行う。コンテンツの購入処理は、例えばコンテンツサービス事業者が金額を設定した有料コンテンツを、ユーザが視聴するために購入する処理である。購入したコンテンツに関する情報は、購入管理部１０２からコンテンツ管理部１０３に通知される。管理する情報には、例えばコンテンツタイトル、コンテンツの購入状況、視聴期限、有料／無料コンテンツの区別などが含まれる。
【００２８】
記録制御部１１０は、通信制御部１０１が受信したコンテンツと、コンテンツに関する情報、ライセンスなどの情報を関連付けて蓄積装置１１１に記録する。コンテンツを記録する際には、記録するコンテンツのタイトルやファイル名、ライセンスに記載されている視聴期限などの情報を、コンテンツ管理部１０３に通知する。
【００２９】
蓄積装置１１１は、例えばハードディスクドライブなどの蓄積媒体であり、コンテンツのデータならびにコンテンツに関する情報、制御プログラムなどを保存するものである。
【００３０】
コンテンツ管理部１０３は、蓄積装置１１１に記録したコンテンツの情報を管理し、必要に応じてユーザにこれらの情報を提示する。この情報は、コンテンツを新たに購入する場合や、コンテンツを蓄積装置に記録する場合、未視聴コンテンツを再生した場合などにおいて更新される。
【００３１】
コンテンツ情報検出部１０４は、通信制御部１０１が受信したコンテンツから、コンテンツに関する各種情報、例えばコンテンツ名、コンテンツの概要、コンテンツのジャンルなどを取得する。また、コンテンツ情報がコンテンツとは別の伝送経路から送信されてくる場合には、通信制御部１０１を介してコンテンツに関する情報を取得し、別々に取得したコンテンツとコンテンツ情報との関連づけを行う。
【００３２】
ユーザ情報管理部１０５は、記録再生装置を利用するユーザに関して、ユーザ名、ユーザを識別するためのパスワードなどの情報を取得し保持する。
【００３３】
再生制御部１０６は、記録制御部１１０に対して、蓄積装置１１１からのコンテンツならびにコンテンツに対応する情報の読み出しを指示し、読み出したコンテンツを復号した映像を表示装置に出力する。また、放送波やネットワークなどの通信媒体から受信するコンテンツを、受信しながら再生する際の再生制御を実施する。
【００３４】
ＯＳＤ制御部１０７は、メニューやメッセージ画面、コンテンツ一覧などのユーザ操作画面、コンテンツ購入選択画面などの表示を行う。またＯＳＤ制御部１０７は、表示したユーザ操作画面に対する入力手段１０９からの入力に応じた画面制御処理を行う。
【００３５】
コンテンツ購入選択画面において、ユーザが特定コンテンツを選択することにより、コンテンツ購入を所望していることを検出した場合には、コンテンツ管理部１０３が管理する情報を参照し、必要に応じて、ユーザへの注意喚起メッセージを生成して表示装置に出力する。
【００３６】
表示装置１０８は、再生制御部１０６から受信する映像信号に対してＯＳＤ制御部１０７から受信する映像信号を重ね合わせた映像を表示する。
【００３７】
入力手段１０９は、無線もしくは有線により記録再生装置１００と通信するリモコンやキーボードであり、ユーザがユーザ操作画面において所望の動作を選択するために使用する。
【００３８】
コンテンツ管理部１０３は、コンテンツ購入に関する情報を購入管理部１０２から、コンテンツの再生、停止などの再生に関する情報を再生制御部１０６から、蓄積装置１１１に記録されたコンテンツに関する情報を記録制御部１１０から、コンテンツタイトルなどのコンテンツに関する情報をコンテンツ情報検出部１０４から、記録再生装置を利用するユーザに関する情報をユーザ情報管理部１０５からそれぞれ収集し、収集した情報に基づき各コンテンツに関する情報を統合的に管理する。
【００３９】
また、コンテンツ管理部１０３は、表示装置１０８に出力されている再生中のコンテンツに対して、入力手段１０９からの再生、停止、一時停止、などのユーザ入力操作に応じて、再生制御部１０６の制御を行う。
【００４０】
これにより、コンテンツ購入時には、今までに購入したコンテンツの履歴・記録状態を確認し、すでに購入が行われていた場合には、操作ユーザに対して重複購入を行うか否かの確認メッセージを表示することが可能となる。
【００４１】
また、ユーザ情報管理部１０５から取得した情報を基に、購入操作を行っているユーザと、以前購入を行ったユーザとを確認することで、ユーザ間の情報共有、情報制限などの実施を制御することが可能となる。操作ユーザに対して重複確認メッセージの実施可否が設定されている場合には、実施可否に応じたメッセージの出しわけを制御する。
【００４２】
本実施例において、記録再生装置の各構成は以下のように連携して動作する。
【００４３】
記録再生装置１００において、コンテンツ管理部１０３は、入力手段１０９を介してユーザからのコンテンツ購入指示を受け取ると、通信制御部１０１から購入予定のコンテンツに関する情報を取得し、コンテンツ情報検出部１０４において、コンテンツ名などの情報を抽出する。また、コンテンツ管理部１０３は、購入管理部１０２から、今までに購入したコンテンツに関する履歴情報を取得し、コンテンツ情報検出部１０４が取得したコンテンツ情報と比較する。これにより、購入を指示されたコンテンツが本人、もしくは他のユーザによって、すでに購入済みのコンテンツとして登録されているか否かを判別する。すでに購入済みのコンテンツであった場合には、コンテンツ管理部１０３は、操作中のユーザに関する情報をユーザ情報管理部１０５から取得するとともに、コンテンツの前回購入者、重複購入時の確認可否に関する情報として記録してあるコンテンツ管理テーブルを蓄積装置１１１から参照する。コンテンツ管理テーブルには、操作中のユーザに対して、重複購入である旨のメッセージを表示してよいか否かの設定情報が記録されている。なお、この設定は機器を利用するユーザが予め行うか、もしくはコンテンツ購入時に購入ユーザが行う。
【００４４】
そして、コンテンツ管理テーブルにおいて、メッセージの表示をしない設定となっている場合は、ユーザに対して、重複購入である旨のメッセージを表示せずにコンテンツの購入処理を継続する。また、メッセージの表示をする設定となっている場合は、OSD制御部１０７を介して、ユーザに対して、重複購入である旨のメッセージを表示する。
【００４５】
さらに、購入しようとするコンテンツに関して、次回のコンテンツ購入時に重複購入である旨のメッセージを表示するか否かを設定させるべく、表示装置１０８に設定画面を表示し、操作ユーザに入力手段９による設定を促す。
＜記録再生装置を利用するユーザの登録＞
まず、記録再生装置を利用するユーザの登録について説明する。図２は、ユーザを登録するための登録画面の一例を示したものである。
【００４６】
ユーザの登録は、機器を利用するユーザを特定し、個々のユーザに対して個別の処理を実施するために行うものである。記録再生装置を初めて使用するときや、コンテンツを購入するときにユーザを登録することで、以後、各ユーザに対して個別の処理を提供することが可能となる。
【００４７】
図２には、ユーザ登録を行う場合として、ユーザ名と、年齢、管理パスワードを登録する例を示している。複数のユーザが同一の記録再生装置を利用する場合、主ユーザとして代表者を登録しておくような使い方も可能である。例えば未成年などのユーザが存在する場合には、主ユーザの管理パスワードを主パスワードとすることで、代理で操作ができるようにして、未成年に対する管理を行える。
＜確認メッセージ表示の処理の流れ＞
次に、コンテンツ購入時に、ユーザに対して重複購入確認メッセージを表示する場合の処理の流れについて説明する。図３は、メッセージ表示の処理の流れを表すフローチャートである。
【００４８】
まず、ステップＳ３０１は、サービス事業者などが提供するコンテンツ販売サイトからコンテンツを購入するための操作であり、例えばコンテンツ選択画面が表示装置１０８に表示される。ユーザが、入力手段１０９を用いて、購入したいコンテンツを選択すると、ステップＳ３０２で、通信制御部１０１がコンテンツ名などのコンテンツに関する情報を取得する。
【００４９】
ステップＳ３０３は、購入操作を行っているユーザを特定するための処理であり、例えばユーザ確認用の画面を表示してユーザを特定する。
【００５０】
図４に、ユーザ確認用の画面の一例を示す。
【００５１】
図４の表示画面４００は、ユーザ情報管理部１０５から、図２で予め行ったユーザ登録情報を取得し、登録されているユーザ名を表示する。ここでは、「A夫」「B子」「C太郎」が、すでに登録されているユーザとして表示されている。未登録のユーザの場合は、新規ユーザ４０４を選択し、ここから図２を介してユーザ登録を行うようにしても構わない。Ｓ３０４で、操作ユーザは自分の名前を選択し、完了ボタン４０５を選択する。
【００５２】
ステップＳ３０５は、コンテンツ管理部１０３が保持するコンテンツ情報管理テーブルを参照する処理である。
【００５３】
図５に、コンテンツ情報管理テーブルの一例を示す。すでに購入済みのコンテンツに対して、コンテンツごとに、「コンテンツ名」「コンテンツ概要」「購入者」「非表示設定」を管理テーブルとして保持している。管理テーブルに保持しているこれらの情報は、コンテンツ購入、コンテンツ再生、蓄積装置へのコンテンツ記録などの、コンテンツの状態が変わるタイミングにおいて更新される。「コンテンツ名」は、コンテンツの表題である。「コンテンツ概要」は、コンテンツの内容を簡単に示した概要であり、例えば出演者やあらすじなどが記載される。「購入者」は、コンテンツを購入したユーザである。
【００５４】
「非表示設定」は、コンテンツを購入したユーザが、重複購入確認メッセージを表示しないように設定したユーザを示している。具体的には、例えばNo.3の「○○頂上決戦」では、「C太郎」が非表示の対象として管理されており、「A夫」が「○○頂上決戦」を購入したことは、「B子」には通知されるが、「C太郎」には通知されない。
【００５５】
なお、非表示設定は、コンテンツ購入者以外のユーザが設定できるようにしても構わない。その場合、パスワード入力などにより、各ユーザに対して適切な非表示設定を行うことが望ましい。
【００５６】
ステップＳ３０６は、ステップＳ３０２で取得した購入予定のコンテンツ情報と、ステップＳ３０５で取得した購入済みのコンテンツ情報とを比較する処理である。比較により、コンテンツの購入履歴があるか否か、すなわち、重複購入を行おうとしているか否かを判定する。重複購入を行おうとしている場合は、ステップＳ３０７に移行し、該当コンテンツに関して、操作中のユーザが「非表示設定」のユーザとして登録されているか否かを確認する。
【００５７】
操作中のユーザに対する「非表示設定」がない場合は、ステップＳ３０８に移行し、重複購入確認メッセージを操作中のユーザに対して表示する。なお、本確認は、すでに同じコンテンツを購入済みであるため、コンテンツを新たに購入する必要がない可能性が高いことをユーザに警告するものである。
【００５８】
図６に、確認メッセージの一例を示す。
【００５９】
図６の表示画面６００は確認メッセージ画面であり、コンテンツ管理部１０３から取得したコンテンツ情報をもとに、例えば、コンテンツに関するサムネイル画像６０１や、タイトル、ジャンル、価格などを表示する。
【００６０】
ステップＳ３０９は、ユーザが購入処理を継続するか否かを判定する処理である。確認メッセージ画面６００において、ユーザが入力手段１０９により「購入する」６０２を選択した場合には、ステップＳ３１０に移行して購入処理を継続する。また、確認メッセージ画面６００において、ユーザが「購入をやめる」６０３を選択した場合には、購入処理を行わないものとして処理を終了する。
【００６１】
なお、ステップＳ３０６でコンテンツの購入履歴が無い場合、およびステップＳ３０７において、操作ユーザに対するメッセージの非表示設定がなされている場合は、重複購入確認のメッセージを表示せずに、ステップS310に移行し、購入処理を継続する。
【００６２】
ステップＳ３１０は、購入を継続する場合に、購入するコンテンツに関して、重複購入確認メッセージを表示するかどうかを設定するための処理である。
【００６３】
図７に、重複購入確認メッセージの表示に関する設定画面の一例を示す。
【００６４】
図７の表示画面７００では、記録再生装置のユーザとして登録されている「登録ユーザ」と、各登録ユーザに対して、確認メッセージを表示するか否かを設定できるようにしている。図７の場合、「B子」に対しては、表示設定が「可」であり、B子が、同じコンテンツを購入しようとする時に、確認メッセージが表示される。一方、「C太郎」に対しては、表示設定が「不可」であり、C太郎が、同じコンテンツを購入しようとする時には、確認メッセージは表示されない。
【００６５】
図７において、ユーザが「決定」７０２を選択すると、ステップＳ３１１からステップＳ３１２に移行する。ステップＳ３１２では、コンテンツ管理部１０３が、今回購入を行ったコンテンツに関する情報を、購入済みのコンテンツとして管理テーブルに登録・更新する。その後、ステップＳ３１３において、購入管理部１０２がコンテンツの購入処理を開始する。
【００６６】
なお、上記実施例では、各コンテンツに対して重複購入の確認を行うか否かを、ユーザが手動的に設定する例を用いて説明したが、コンテンツ管理部１０３が取得したコンテンツに関する情報を基に、記録再生装置が自動的に設定するようにしても良い。具体的には、例えば、コンテンツ概要からキーワードを抜き出し、そのキーワードに基づいて、確認メッセージの表示／非表示を決めるようにする。確認メッセージを非表示とするキーワードは、ユーザが予め登録してもよいし、コンテンツに関する情報に、非表示とするキーワードに関する情報を含めておいてもよい。
【００６７】
また、ユーザの確認については、ユーザの入力操作でなくともよく、ユーザ認識装置を利用しても構わない。例えば、認識装置としては、指紋認証、指静脈認証などや、カメラによる顔認識を利用したものが挙げられる。
【００６８】
以上説明したように、本発明の第1の実施例によれば、重複購入確認メッセージの表示／非表示をコンテンツの詳細な内容とユーザによって切り分けることができる。このため、コンテンツの詳細な内容とユーザによって、重複購入の防止を図るか、情報通知のフィルタリングを図るかを選択することができる。
【実施例２】
【００６９】
続いて、本発明にかかる重複購入確認メッセージの表示方法の第２の実施例を、図をもとに説明する。
【００７０】
記録再生装置の構成は、実施例１と同じであるため、説明を省略する。
【００７１】
実施例１が、コンテンツ名などの情報をもとに、コンテンツ単位で重複購入確認メッセージを表示するか否かを設定したのに対し、実施例２では、ジャンル単位で重複購入確認メッセージを表示するか否かを設定する点に特徴がある。ここで、ジャンルとは、コンテンツをその内容によって大まかに分類するための情報であり、例えば「映画」「音楽」「ドラマ」「ニュース」などの情報である。
＜ジャンルに関する管理テーブル更新処理の流れ＞
図９は、ユーザが、ジャンルに対して重複購入確認メッセージを表示するか否かを設定する処理の流れを表すフローチャートである。
【００７２】
ステップＳ９０１で、ユーザが、ジャンルに対する確認メッセージの設定を行うことを希望した場合は、ステップＳ９０２で操作ユーザの確認を実施する。なお、この設定を行うには、例えば記録再生装置の設定メニューから選択すればよい。また、この設定は、実施例１のように、コンテンツの購入の度に行う必要はなく、設定変更を除いて基本的には一度設定すれば足りる。
【００７３】
ステップＳ９０２においてユーザが未登録と判定された場合は、ステップＳ９０３で、例えば、図２のユーザ登録画面を表示し、ユーザに対して登録処理を行わせる。ステップＳ９０４でユーザ登録が完了すると、ステップＳ９０５で、確認メッセージのジャンル設定用画面を表示する。
【００７４】
図１０に、ジャンル設定用画面の一例を示す。
【００７５】
図１０の表示画面１０００には、例えばコンテンツを分類するための「ジャンル」、ジャンルに対してさらに詳しく分類を行うための「サブジャンル」を表示する。ユーザは、確認メッセージを非表示としたい「ジャンル」「サブジャンル」を選択する。図１０では、ジャンル「バラエティ」と、サブジャンル「格闘技」がメッセージ非表示として選択された状態を示している。ジャンルの設定が終わると、ステップＳ９０６で、ユーザは、パスワード入力１００１を行うようにする。
【００７６】
パスワード入力が完了すると、ステップＳ９０７で、主ユーザか否かの判定を行う。ここで行われる判定は操作ユーザを確認するためのものであり、操作ユーザが入力したパスワードと、図２で予め登録したユーザ名やパスワードの情報とを比較し、操作ユーザが適切か否かを判定する。具体的には、表示画面１０００において主ユーザのパスワードのみを受け付けるように設定することで、主ユーザのみがジャンルに対する確認メッセージの表示／非表示を設定できるようにすることができる。
【００７７】
ステップＳ９０７で、操作ユーザが主ユーザであることが確認されると、ステップＳ９０８で、ジャンル情報について管理テーブルの更新・登録を行う。
【００７８】
図１１に、ジャンル情報に関する管理テーブルの一例を示す。
【００７９】
図１０の表示画面１０００で設定された「ジャンル」「サブジャンル」に対する確認メッセージの表示設定がテーブルとして管理される。ここでは、ジャンル「バラエティ」と、サブジャンル「格闘技」に該当するコンテンツに対して、確認メッセージの表示が行われないことを示している。対象ユーザは、メッセージの表示／非表示をユーザ毎に設定するための情報である。対象ユーザを設定することで、各ユーザごとにメッセージの表示／非表示を設定することが可能となる。なお、図１０では示していないが、対象ユーザは、例えば表示画面１０００に対象ユーザを入力する項目を設けることで設定可能である。
＜確認メッセージ表示の処理の流れ＞
続いて、本実施例における、コンテンツ購入時に、ユーザに対して重複購入確認メッセージを表示する場合の処理の流れについて説明する。図８は、本実施例におけるメッセージ表示の処理の流れを表すフローチャートである。このフローチャートにおいて、実施例１と同じ処理については、図３と同じ番号を付し、説明を省略する。
【００８０】
ステップＳ３０１において、ユーザが購入を希望するコンテンツを選択すると、ステップＳ８０１で、ユーザが選択したコンテンツのジャンルを取得する。
【００８１】
ステップＳ３０３とステップＳ３０４において、操作ユーザの確認が行われると、ステップＳ８０２において、ジャンル情報に関する図１１の管理テーブルを参照する。
【００８２】
ステップＳ８０３では、図１１の管理テーブルをもとに、操作ユーザが、メッセージ非表示の対象ユーザとして登録されているか否かの確認を行う。
【００８３】
操作ユーザが対象ユーザとして登録されていた場合、ステップＳ８０４で、さらに購入コンテンツのジャンルに対して、メッセージ表示が許可されているか否かを確認する。メッセージ表示が許可されている場合は、ステップＳ３０８で、重複購入確認メッセージを表示した後、ステップＳ３０９で購入処理を継続する。例えば、コンテンツのジャンルが「バラエティ」であり、操作者が「B子」であった場合には確認メッセージを表示しないが、操作者が「C太郎」であった場合は確認メッセージを表示する。
【００８４】
ステップＳ８０３で、操作ユーザが対象ユーザとして登録されていなかった場合は、重複購入確認メッセージを表示せずに、ステップＳ８０５に移行する。
【００８５】
ステップＳ８０５は、購入しようとしているコンテンツに対して、重複購入確認のメッセージの非表示を登録する処理であり、登録した場合は、ステップＳ８０６でコンテンツ情報管理テーブルを更新する。
【００８６】
なお、ステップＳ８０５、ステップＳ８０６を行わずに、ステップＳ８０３から直ちにステップＳ３１３に移行しても良い。
【００８７】
なお、本実施例において、同様の効果が得られるような「ジャンル」の代わりに別の情報を利用してもよい。別の情報としては、例えば、視聴年齢を制限するためのパレンタル情報が挙げられる。
【００８８】
以上説明したように、本発明の第２の実施例によれば、重複購入確認メッセージの表示／非表示をコンテンツのジャンルとユーザによって切り分けることができる。このため、コンテンツのジャンルとユーザによって、重複購入の防止を図るか、情報通知のフィルタリングを図るかを選択することができる。
【００８９】
また、第1の実施例のように、コンテンツの詳細な内容で設定するのに比べ、ジャンルという大まかな範囲で設定することが可能であるため、処理およびユーザの設定操作を簡単化することが可能となる。
【実施例３】
【００９０】
続いて、本発明にかかるコンテンツ購入時の確認メッセージの表示方法の第３の実施例を、図をもとに説明する。
【００９１】
記録再生装置の構成は、実施例１と同じであるため、説明を省略する。
【００９２】
実施例１及び２は、記録再生装置を利用する登録ユーザに対して、重複購入確認メッセージを表示するか否か、という処理を示したものであるが、本実施例では、ユーザ登録を行わない場合を考慮する。すなわち、本実施例では、コンテンツを購入するユーザが誰であるかに関わらず、重複購入確認メッセージを表示するか否かを選択処理する。
＜確認メッセージ表示の処理の流れ＞
本実施例における、コンテンツ購入時に、ユーザに対して重複購入確認メッセージを表示する場合の処理の流れについて説明する。図１２は、本実施例におけるメッセージ表示の処理の流れを表すフローチャートである。このフローチャートにおいて、実施例１と同じ処理については、図３と同じ番号を付し、説明を省略する。
【００９３】
ステップＳ３０１において、ユーザが購入を希望するコンテンツを選択すると、ステップＳ３０２で、コンテンツに関する情報を取得する。
【００９４】
ステップS１２０１は、コンテンツ管理部１０３が保持するコンテンツ情報管理テーブルを参照する処理である。
【００９５】
図１３に、コンテンツ情報管理テーブルの一例を示す。図５に示したコンテンツ情報管理テーブルと基本的には同じであるが、図５との違いは、ユーザに関する情報としての「購入者」には登録がされない点である。
【００９６】
「非表示設定」には、コンテンツを購入するユーザが、確認メッセージを表示するか否かを示す情報が記録される。従って、本テーブルにより、ユーザに関わらず、メッセージを表示するか否かが制御される。
【００９７】
ステップ３０６で、管理テーブルの参照により、コンテンツの購入履歴があるか否かを判定する。購入履歴がある場合、ステップＳ１２０２で、図１３の管理テーブルで「非表示設定」を確認する。非表示設定が「なし」の場合は、ステップＳ１２０３において、重複購入確認メッセージを操作中のユーザに対して表示し、非表示設定が「あり」の場合は、確認メッセージを表示しない。なお、ステップＳ１２０３で表示するメッセージは、図６に示した画面で、誰が購入したかは表示されない。
【００９８】
ステップＳ３０９で、ユーザが購入処理を継続する場合は、ステップＳ１２０４で、購入するコンテンツに関する確認メッセージの表示可否を設定する。ここでは、図７に示した画面で、登録ユーザに関する情報は表示されない。
【００９９】
ステップＳ３１１で、ユーザの入力操作が終わると、ステップＳ１２０５で、コンテンツ管理テーブルが更新される。すなわち、図１３の管理テーブルで、購入するコンテンツに関して、非表示設定「あり」「なし」が登録される。
【０１００】
なお、本実施例では、図１３のように個別のコンテンツに対して、ユーザを登録しない処理について説明したが、実施例２における図１１のように、ジャンルに対して、ユーザを登録しないようにしてもよい。
【０１０１】
以上説明したように、本発明の実施例３によれば、重複購入確認メッセージの表示／非表示をコンテンツの内容によって切り分けることができる。このため、コンテンツ内容によって、重複購入の防止を図るか、情報通知のフィルタリングを図るかを選択することができる。
【０１０２】
また、第１及び第２の実施例のように、ユーザによる重複購入確認メッセージの表示／非表示を考慮しないため、ユーザ登録を行わなくてすむ。
【実施例４】
【０１０３】
続いて、本発明にかかるコンテンツ再生時における重複購入確認メッセージの設定方法に関する実施例を、図をもとに説明する。
【０１０４】
記録再生装置の構成は、実施例１と同じであるため、説明を省略する。
【０１０５】
実施例１では、メッセージの表示設定を、コンテンツ購入時に行い、実施例２では、メッセージの表示設定を、コンテンツ購入前に行っていた。すなわち、コンテンツを視聴し、実際の内容を認識する前に設定が行われる。これに対し、実施例３では、コンテンツを購入して、視聴する際、もしくは、視聴した後に、メッセージの表示設定を行う。
＜確認メッセージ設定の処理の流れ＞
本実施例における、コンテンツ視聴時に、重複購入確認メッセージを設定する場合の処理の流れについて説明する。図１４は、本実施例におけるメッセージ設定の処理の流れを表すフローチャートである。
【０１０６】
ステップＳ１４０１において、ユーザが視聴を希望するコンテンツを選択すると、ステップＳ１４０２において、再生制御部１０６により、選択したコンテンツの再生が開始される。
【０１０７】
視聴中のコンテンツに関して、ユーザが確認のメッセージを非表示に設定しておきたいと考えた場合、ステップＳ１４０３で、ユーザは入力手段１０９により表示設定を行うためのメニュー画面を起動する。
【０１０８】
図１５に、メニュー画面の一例を示す。
【０１０９】
図１５の表示画面１５００は視聴中のコンテンツ映像であり、この映像の上に、OSD制御部１０７によるOSD画面１５０１を表示する。ここでは、視聴中のコンテンツのコンテンツ名、ジャンルを表示している。
【０１１０】
ステップＳ１４０４で、ユーザが、視聴中のコンテンツに対して、確認メッセージを非表示にしたい場合は「OK」を選択する。確認メッセージを表示してもよい場合は、「キャンセル」を選択する。
【０１１１】
ユーザの入力が完了すると、ステップＳ１４０５で、コンテンツ情報管理テーブルに、確認メッセージを非表示にするか否かの情報を更新する。
【０１１２】
ステップＳ１４０６では、ジャンル情報に関する管理テーブルに、視聴中のコンテンツのジャンルが、すでに確認メッセージを表示しないものとして登録されているかどうかを確認する。非表示ジャンルとして設定されている場合は、処理を終了する。非表示ジャンルとして設定されていない場合は、ステップＳ１４０７において、ジャンル情報に関する管理テーブルに、視聴中のコンテンツのジャンルを非表示ジャンルとして更新する。
【０１１３】
なお、ステップＳ１４０５の更新のみ、あるいは、ステップＳ１４０７の更新のみ、を行うようにしてもよい。また、ステップＳ１４０７で、非表示ジャンルとして登録するか否か、ユーザに再確認するようにしてもよい。
【０１１４】
以上説明したように、本発明の実施例４によれば、重複購入確認メッセージを表示するか否かを、コンテンツの内容を実際に視聴してから判断するため、ユーザの正確な判断をもとに、メッセージの表示／非表示の設定をきめ細かく行える。
【符号の説明】
【０１１５】
１００  記録再生装置
１０１  通信制御部
１０２  購入管理部
１０３  コンテンツ管理部
１０４  コンテンツ情報検出部
１０５  ユーザ情報管理部
１０６  再生制御部
１０７  ＯＳＤ制御部
１０８  表示装置
１０９  入力手段
１１０  記録制御部
１１１  蓄積装置
【図１】
2011029864.tif 000003
【図２】
2011029864.tif 000004
【図３】
2011029864.tif 000005
【図４】
2011029864.tif 000006
【図５】
2011029864.tif 000007
【図６】
2011029864.tif 000008
【図７】
2011029864.tif 000009
【図８】
2011029864.tif 000010
【図９】
2011029864.tif 000011
【図１０】
2011029864.tif 000012
【図１１】
2011029864.tif 000013
【図１２】
2011029864.tif 000014
【図１３】
2011029864.tif 000015
【図１４】
2011029864.tif 000016
【図１５】
2011029864.tif 000017